【事件の表示】
　特許第２９９４４２１号「デジタル電子スチルカメラ」の請求項１ないし４に係る特許に対する特許異議の申立てについて、次のとおり決定する。
【結　論】
　訂正を認める。
　特許第２９９４４２１号の請求項１ないし４に係る特許を維持する。
【理　由】
１．手続の経緯
　特許第２９９４４２１号の請求項１ないし４に係る発明は、平成２年４月６日に特許出願され、平成１１年１０月２２日にその特許の設定登録がなされ、その後、有限会社オフィスアテナより特許異議の申立てがなされ、取消理由通知がなされ、その指定期間内である平成１２年１１月７日に訂正請求がなされたものである。
　
２．訂正の適否についての判断
（１）訂正の内容
　特許請求の範囲の請求項１、４の記載を以下のように訂正することを求めるものである。
　
(１)被写体を撮像する撮像手段と、圧縮処理する際の画像データの生成符号量を制御するためのパラメータを設定するパラメータ設定手段と、
　前記パラメータ設定手段によって設定されたパラメータに基づいて、前記撮像手段によって撮像された画像データを圧縮する画像データ圧縮手段と、
　前記画像データ圧縮手段で圧縮された画像データの生成符号量を測定する符号量測定手段と、
　前記符号量測定手段で測定された画像データの生成符号量が所定範囲内にあるか否かを判断する判断手段と、
　前記判断手段により、前記符号量測定手段で測定された画像データの生成符号量が所定範囲内にないと判断された場合に、当該画像データの生成符号量が前記所定範囲内となるように　前記パラメータ設定手段に前記パラメータを変更させる生成符号量制御手段と、
　前記画像データ圧縮手段によって圧縮された画像データを格納する記録媒体と、
　を備え、
　前記画像データ圧縮手段は、
　選択されたスケーリングファクタを出力するスケーリングファクタレジスタと、
　異なった量子化ステップサイズを設定した量子化マトリクスと、
 前記スケーリングファクタレジスタと量子化マトリクスとが接続されている乗算手段と、
　前記乗算手段に接続されている量子化手段と、
　を備えたことを特徴とするデジタル電子スチルカメラ。
　
(４)前記スケーリングファクタテーブルの圧縮特性を、前回撮影した際の最終値に基づいて変更可能としたことを特徴とする請求項２に記載のデジタル電子スチルカメラ。
　
（２）訂正の目的の適否、新規事項の有無及び拡張・変更の存否
　上記訂正事項は、特許請求の範囲の減縮を目的とした明細書の訂正に該当し、新規事業の追加に該当せず、実質的に特許請求の範囲を拡張又は変更するものではない。
　
（３）むすび
　したがって、上記訂正は、平成６年改正法附則第６条第１項の規定によりなお従前の例によるとされる、特許法第１２０条の４第３項で準用する平成６年法による改正前の特許法（平成５年改正法）第１２６条第１項ただし書き、第２項の規定に適合するので、当該訂正を認める。
　
３．特許異議の申立てについての判断
（１）申立ての理由の概要
　申立人有限会社オフィスアテナは、証拠として甲第１号証（特願昭６３−２５１８５１号（特開平２−１００４８７号公報））及び参考資料１ないし３（特開平１−２１８１８７号公報、特開平２−１４６７２号公報、特開昭６１−１３５２８５号公報）を提出し、請求項１ないし４に係る発明は、第２９条の２の規定に違反してなされたものであるから、特許法第１１３条第１項第２号の規定により取り消すべきものである旨主張している。
　
（３）本件の請求項１ないし４に係る発明
　上記２．で示したように上記訂正が認められるから、本件の請求項１ないし４に係る発明は、上記訂正に係る訂正明細書の特許請求の範囲の請求項１ないし４に記載された事項に特定されるとおりのものである。請求項１ないし４を以下に示す。
　
(１)被写体を撮像する撮像手段と、圧縮処理する際の画像データの生成符号量を制御するためのパラメータを設定するパラメータ設定手段と、
　前記パラメータ設定手段によって設定されたパラメータに基づいて、前記撮像手段によって撮像された画像データを圧縮する画像データ圧縮手段と、
　前記画像データ圧縮手段で圧縮された画像データの生成符号量を測定する符号量測定手段と、
　前記符号量測定手段で測定された画像データの生成符号量が所定範囲内にあるか否かを判断する判断手段と、
　前記判断手段により、前記符号量測定手段で測定された画像データの生成符号量が所定範囲内にないと判断された場合に、当該画像データの生成符号量が前記所定範囲内となるように　前記パラメータ設定手段に前記パラメータを変更させる生成符号量制御手段と、
　前記画像データ圧縮手段によって圧縮された画像データを格納する記録媒体と、
　を備え、
　前記画像データ圧縮手段は、
　選択されたスケーリングファクタを出力するスケーリングファクタレジスタと、
異なった量子化ステップサイズを設定した量子化マトリクスと、
 前記スケーリングファクタレジスタと量子化マトリクスとが接続されている乗算手段と、
　前記乗算手段に接続されている量子化手段と、
　を備えたことを特徴とするデジタル電子スチルカメラ。
(２)前記生成符号量制御手段は、スケーリングファクタが記録されたスケーリングファクタテーブルを有することを特徴とする請求項１に記載のデジタル電子スチルカメラ。
(３)前記スケーリングファクタテーブルを数種類備えたことを特徴とする請求項２に記載のデジタル電子スチルカメラ。
(４)前記スケーリングファクタテーブルの圧縮特性を、前回撮影した際の最終値に基づいて変更可能としたことを特徴とする請求項２に記載のデジタル電子スチルカメラ。
　
（３）先願及び参考資料
　当審が通知した取消理由で引用した特願昭６３−２５１８５１号（特開平２−１００４８７号公報）（申立人が提出した甲第１号証）の出願当初の明細書（以下、「先願明細書」という。）には、以下の事項が記載されている。
　「この発明は画像データ圧縮装置に関する。ＣＣＤ 等の固体電子撮像素子や撮像管を備えたカメラ、光学的走査読取装置(ＯＣＲ)等から得られるディジタル画像データ…」（第１頁右下欄１６行ないし１９行）
　「この発明によると符号化された圧縮データ長がほぼ一定値になるように正規化係数が調整されているので、一画面分のデータ長を常にほぼ一定値とすることができる。また一画面分の圧縮データ長を計数しているので、分割されたブロックごとに直交変換、正規化、符号化等の処理が行なわれても、一画面全体について同じ正規化係数が用いられ、絵柄の細かさの違いにより部分的に正規化係数が異なり部分的に画質が悪くなるといった問題が生じることがなく、微細な模様等であっても比較的高画質に保つことができる。」（第２頁右下欄９行ないし１９行）
　「原画像データは、各ブロックごとに、変換部１１においてＤＣＴ…変換…され、そのＤＣＴ係数Ｆ(ｕ、ｖ)が求められる(ステップ２１)。ＤＣＴ係数Ｆ(ｕ、ｖ)は各ブロックごとに係数メモリ１２にストアされる(ステップ２２)。一画面分のすべての原画像データについてＤＣＴ処理が終了すると次に正規化部１３において正規化処理が行なわれる(ステップ２３)。…各ブロックごとに正規化処理が行なわれ、正規化された値は次に符号化部１４において符号化される,(ステップ２４)。符号化にはたとえばハフマン符号化、ランレングス符号化等がある。…符号化されたデータはカウンタ１５に与えられ、その全符号量、すなわち全データ長が計数される(ステップ２５)。正規化処理および符号化処理はブロックごとに行なわれ、各ブロックの符号化データが順次カウン夕１５に与えられる。一画面分についての正規化、符号化が終了するとカウン夕１５の計数値は一画面分の符号化データ長を表わす。この計数値がある所定値(これを目標値という)にほぼ一致するように正規化係数Ｄが設定される。そのためにカウンタ１５の計数値と目標値との差がある許容値Ｅより小さいかどうかがチェックされる(ステップ２６)。」（第３頁左上欄１２行ないし左下欄２０行）
　「上記の差が許容値Ｅを超えている場合には新たな正規化係数Ｄを求めるために変換テーブル１６が参照される(ステップ２７)。」（第３頁左下欄２０行ないし右下欄３行）
　「変換テーブル１６には、第３図に示すように、カウン夕１５の計数値に対して経験的に割出された妥当と思われる正規化係数Ｄがあらかじめ設定されている。この変換テーブル１６を参照して新たな正規化係数Ｄが設定され、切換部１７を経て正規化部１３に与えられる。…そして、ステップ２６の判断結果に応じて上記の処理が繰返される。」（第３頁右下欄４行ないし１４行）
　「カウン夕１５の計数値と目標値との差が許容値Ｅ以内になると、最後に用いられた正規化係数Ｄが妥当な値と考えられるので、この正規化係数Ｄを用いて正規化、符号化処理が行なわれ(ステップ２８、２９)、圧縮データとして出力される。この圧縮データはたとえばメモリに書込まれる(ステップ３０)。」（第３頁右下欄１５行ないし第４頁左上欄１行）
　
　申立人が提出した参考資料１（特開平１−２１８１８７号公報)には、以下の事項が記載されている。
　「符号化は、分割されたブロックのそれぞれの絵柄に応じてルックアップテーブル３８から符号化のためのデータを符号化回路２６に読み出し、各ブロックの絵柄に応じた符号化を行う。すなわちそのブロック内において変化の多い絵柄は多くのビットを割り当て、変化の少ない絵柄は少ないビットを割り当てる。」（第４頁左下欄９行ないし１５行）
　
　同参考資料２(特開平２−１４６７２号公報)には以下の事項が記載されている。
　「このようなコードテーブルＣＴであって、その有効ビット数ｌｍｎの位置と値のパターンがそれぞれ異なる複数のコードテーブルＣＴが予め準備される。これらのコードテーブルＣＴの有効ビット数ｌｍｎの有効パターンは、より少ない変換係数で、より品質の高い画像を再現できるように、経験的に求められるものである。例えば、人物、風景、静物等の一般的な絵柄の特長的なものの中から、上記パターンとして出現頻度の高いものに基づいて設定する。」（第３頁左下欄６行ないし１５行）
　
　同参考資料３(特開昭６１−１３５２８５号公報)には、以下の事項が記載されている。
　「このように、画品質選択器において要求に応じて閾値、ステップ中を切替える事によって、特に高い画品質を要求されない画像に対しては圧縮率を上げる事ができる。」（第４頁右下欄２行ないし６行）
　
（４）請求項１について
　請求項１に係る発明と先願明細書に記載された発明は、
「被写体を撮像する撮像手段と、圧縮処理する際の画像データの生成符号量を制御するためのパラメータを設定するパラメータ設定手段と、
　前記パラメータ設定手段によって設定されたパラメータに基づいて、前記撮像手段によって撮像された画像データを圧縮する画像データ圧縮手段と、
　前記画像データ圧縮手段で圧縮された画像データの生成符号量を測定する符号量測定手段と、
　前記符号量測定手段で測定された画像データの生成符号量が所定範囲内にあるか否かを判断する判断手段と、
　前記判断手段により、前記符号量測定手段で測定された画像データの生成符号量が所定範囲内にないと判断された場合に、当該画像データの生成符号量が前記所定範囲内となるように　前記パラメータ設定手段に前記パラメータを変更させる生成符号量制御手段と、
　前記画像データ圧縮手段によって圧縮された画像データを格納する記録媒体と、
　を備えたデジタル電子スチルカメラ。」
である点で一致し、以下の点で相違している。
　
相違点
　請求項１に係る発明は、
「前記画像データ圧縮手段は、
　選択されたスケーリングファクタを出力するスケーリングファクタレジスタと、
　異なった量子化ステップサイズを設定した量子化マトリクスと、
 前記スケーリングファクタレジスタと量子化マトリクスとが接続されている乗算手段と、
　前記乗算手段に接続されている量子化手段と、」
　を備えているのに対して、先願明細書にはこのようなことは記載されていない点。
　
相違点についての判断
　申立人が提出した参考資料１ないし３を考慮しても、上記相違点は、具体化手段における微差（周知技術、慣用技術の付加、削除、転換等であって、新たな効果を奏するものではないもの）であるとはいえない。
　
　したがって、請求項１に係る発明は先願明細書に記載された発明と同一ではない。
　
（５）請求項２ないし４について
　請求項２は請求項１を引用した従属形式請求項であり、請求項３ないし４は請求項２を引用した従属請求項であるから、上記請求項についての判断と同様な理由により、請求項２ないし４に係る発明は先願明細書に記載された発明と同一ではない。
　
（６）むすび
　以上のとおりであるから、特許異議申立ての理由及び証拠並びに上記取消理由通知で示した理由によっては、本件請求項１ないし４に係る特許を取り消すことができない。
　また、他に請求項１ないし４に係る特許を取り消すべき理由を発見しない。
　よって、結論のとおり決定する。
【異議決定日】
平成１３年２月５日（２００１．２．５）
【訂正の要旨】
訂正の要旨
　▲１▼　訂正事項ａ
　平成１１年５月１０日の本件請求人提出にかかる手続補正書により補正された特許請求の範囲（請求項１）にかかる記載、
　「（１）被写体を撮像する撮像手段と、
　圧縮処理する際の画像データの生成符号量を制御するためのパラメータを設定するパラメータ設定手段と、
　前記パラメータ設定手段によって設定されたパラメータに基づいて、前記撮像手段によって撮像された画像データを圧縮する画像データ圧縮手段と、
　前記画像データ圧縮手段で圧縮された画像データの生成符号量を測定する符号量測定手段と、
　前記符号量測定手段で測定された画像データの生成符号量が所定範囲内にあるか否かを判断する判断手段と、
　前記判断手段により、前記符号量測定手段で測定された画像データの生成符号量が所定範囲内にないと判断された場合に、当該画像データの生成符号量が前記所定範囲内となるように　前記パラメータ設定手段に前記パラメータを変更させる生成符号量制御手段と、
　前記画像データ圧縮手段によって圧縮された画像データを格納する記録媒体と、
　を備えたことを特徴とするデジタル電子スチルカメラ。」
を
　「（１）被写体を撮像する撮像手段と、
　圧縮処理する際の画像データの生成符号量を制御するためのパラメータを設定するパラメータ設定手段と、
　前記パラメータ設定手段によって設定されたパラメータに基づいて、前記撮像手段によって撮像された画像データを圧縮する画像データ圧縮手段と、
　前記画像データ圧縮手段で圧縮された画像データの生成符号量を測定する符号量測定手段と、
　前記符号量測定手段で測定された画像データの生成符号量が所定範囲内にあるか否かを判断する判断手段と、
　前記判断手段により、前記符号量測定手段で測定された画像データの生成符号量が所定範囲内にないと判断された場合に、当該画像データの生成符号量が前記所定範囲内となるように前記パラメータ設定手段に前記パラメータを変更させる生成符号量制御手段と、
　前記画像データ圧縮手段によって圧縮された画像データを格納する記録媒体と、
　を備え、
　前記画像データ圧縮手段は、
　選択されたスケーリングファクタを出力するスケーリングファクタレジスタと、
　異なった量子化ステップサイズを設定した量子化マトリクスと、
　前記スケーリングファクタレジスタと量子化マトリクスとが接続されている乗算手段と、
　前記乗算手段に接続されている量子化手段と、
　を備えたことを特徴とするデジタル電子スチルカメラ。」
と訂正する。
　▲２▼　訂正事項ｂ
　平成１１年５月１０日の本件請求人提出にかかる手続補正書により補正された特許請求の範囲（請求項４）にかかる記載、
　「（４）前記スケーリングファクタテーブルの圧縮特性を、撮影の履歴情報によって変更可能としたことを特徴とする請求項２に記載のデジタル電子スチルカメラ。」
を
　「（４）前記スケーリングファクタテーブルの圧縮特性を、前回撮影した際の最終値に基づいて変更可能としたことを特徴とする請求項２に記載のデジタル電子スチルカメラ。」
と訂正する。
（５４）【発明の名称】
デジタル電子スチルカメラ
（５７）【特許請求の範囲】
　（１）被写体を撮像する撮像手段と、
　圧縮処理する際の画像データの生成符号量を制御するためのパラメータを設定するパラメータ設定手段と、
　前記パラメータ設定手段によって設定されたパラメータに基づいて、前記撮像手段によって撮像された画像データを圧縮する画像データ圧縮手段と、
　前記画像データ圧縮手段で圧縮された画像データの生成符号量を測定する符号量測定手段と、
　前記符号量測定手段で測定された画像データの生成符号量が所定範囲内にあるか否かを判断する判断手段と、
　前記判断手段により、前記符号量測定手段で測定された画像データの生成符号量が所定範囲内にないと判断された場合に、当該画像データの生成符号量が前記所定範囲内となるように前記パラメータ設定手段に前記パラメータを変更させる生成符号量制御手段と、
　前記画像データ圧縮手段によって圧縮された画像データを格納する記録媒体と、
　を備え、
　前記画像データ圧縮手段は、
　選択されたスケーリングファクタを出力するスケーリングファクタレジスタと、
　異なった量子化ステップサイズを設定した量子化マトリクスと、
　前記スケーリングファクタレジスタと量子化マトリクスとが接続されている乗算手段と、
　前記乗算手段に接続されている量子化手段と、
　を備えたことを特徴とするデジタル電子スチルカメラ。
　（２）前記生成符号量制御手段は、スケーリングファクタが記録されたスケーリングファクタテーブルを有することを特徴とする請求項１に記載のデジタル電子スチルカメラ。
　（３）前記スケーリングファクタテーブルを数種類備えたことを特徴とする請求項２に記載のデジタル電子スチルカメラ。
　（４）前記スケーリングファクタテーブルの圧縮特性を、前回撮影した際の最終値に基づいて変更可能としたことを特徴とする請求項２に記載のデジタル電子スチルカメラ。
　（５）前記スケーリングファクタテーブルの数種類の中から被写体が構成する像の対応する圧縮特性を有するスケーリングファクタテーブルを指定するスケーリングファクタテーブル指定手段を備えたことを特徴とする請求項３または４に記載のデジタル電子スチルカメラ。
　（６）前記スケーリングファクタテーブル指定手段によって指定されたスケーリングファクタテーブルに対応する前記画像の態様を表示する表示手段を備えたことを特徴とする請求項５に記載のデジタル電子スチルカメラ。
【発明の詳細な説明】
（産業上の利用分野）
　本発明は、電子スチルカメラ、特に静止画像を表わす映像信号のデジタルデータの圧縮に際し、生成符号量を制御するデジタル電子スチルカメラに関する。
（従来の技術）
　電子スチルカメラは、撮像光学系や固体撮像デバイスを有するカメラ本体にメモリカードが着脱可能に接続され、撮像デバイスで撮像された静止画像を表わす画像情報がこのメモリカードにデジタル信号の形で蓄積される。画像情報が記録されたメモリカードは電子スチルカメラから外されて再生装置に装填され、再生装置でメモリカードから読み出された静止画像はテレビ画面等に再生される。
　また、メモリカードに蓄積された画像情報はハードディスク等の大容量記憶装置に転送されて電子アルバムとして利用されたり、通信装置と接続され映像データ通信か実行される。現在実用段階にあるメモリカードは、たとえば、ＳＲＡＭ半導体メモリを１６Ｍｂｉｔ程度に集積したメモリカードである。このメモリカードに多数の静止画像、音声を記録したいという要請から記録された情報を圧縮する方式が開発されてきた。適応離散コサイン変換（ＡＤＣＴ）方式は画像データ圧縮方式として現在標準化されている基本方式である。
（発明が解決しようとする課題）
　しかしながら、当該方式は可変長の画像データを圧縮する画像データ圧縮方式であり、撮像される画像に応じて生成される符号量は増減する。このためメモリカードに記録される静止画像の枚数は一定ではなく、数１０枚入力できる場合もあれば、数枚しか入力できない場合もある。
　そこで、本発明は生成される符号量を所定の範囲に制御し、メモリカードに一定枚数の静止画を記録できるデジタル電子スチルカメラを提供することを目的とする。
（課題を解決しようとする手投）
　この目的を達成するために本発明は、被写体を撮像する撮像手段と、圧縮処理する際の画像データの生成符号量を制御するためのパラメータを設定するパラメータ設定手段と、前記パラメータ設定手段によって設定されたパラメータに基づいて、前記撮像手段によって撮像された画像データを圧縮する画像データ圧縮手段と、前記画像データ圧縮手段で圧縮された画像データの生成符号量を測定する符号量測定手段と、前記符号量測定手段で測定された画像データの生成符号量が所定範囲内にあるか否かを判断する判断手段と、前記判断手段により、前記符号量測定手段で測定された画像データの生成符号量が所定範囲内にないと判断された場合に、当該画像データの生成符号量が前記所定範囲内となるように前記パラメータ設定手段に前記パラメータを変更させる生成符号量制御手段と、前記画像データ圧縮手段によって圧縮された画像データを格納する記録媒体と、を備え、前記画像データ圧縮手段は、選択されたスケーリングファクタを出力するスケーリングファクタレジスタと、異なった量子化ステップサイズを設定した量子化マトリクスと、前記スケーリングファクタレジスタと量子化マトリクスとが接続されている乗算手段と、前記乗算手段に接続されている量子化手段と、を具備するようにした。
　また、前記生成符号量制御手段は、スケーリングファクタが記録されたスケーリングファクタテーブルを有することとした。
　また、前記スケーリングファクタテーブルを数種類備えたこととした。
　また、前記スケーリングファクタテーブルの圧縮特性を、前回撮影した際の最終値に基づいて変更可能とした。
　また、前記スケーリングファクタテーブルの数種類の中から被写体が構成する像の対応する圧縮特性を有するスケーリングファクタテーブルを指定するスケーリングファクタテーブル指定手段を備えたこととした。
　また、前記スケーリングファクタテーブル指定手段によって指定されたスケーリングファクタテーブルに対応する前記画像の態様を表示する表示手段を備えたこととした。
（実施例）
　第１図は、本発明に係る実施例の機能ブロック図である。１は電子スチルカメラの撮像レンズ、２は絞り、３は撮像デバイスで、たとえば、ＣＣＤなどの固体撮像デバイスである。４は撮像デバイス３に接続され、その出力５を入力して輝度信号（Ｙ）６、色差信号（Ｒ−Ｙ）７、（Ｂ−Ｙ）８を生成する処理を実行する処理回路である。９は処理回路４によって生成された輝度信号（Ｙ）６、色差信号（Ｒ−Ｙ）７、（Ｂ−Ｙ）８の各信号をデジタル信号に変換するアナログ・デジタル変換器、１０はアナログ・デジタル変換器９に接続され、その出力１１に適応離散コサイン変換（ＡＤＣＴ）方式による圧縮処理を実行する圧縮処理回路、１２は圧縮処理回路１０の構成部で符号量または復号画像品質を制御するためのパラメータである量子化の際のスケーリングファクタを記憶するスケーリングファクタレジスタである。
　１３はスケーリングファクタレジスタ１２に記憶されたスケーリングファクタによる制御の下に圧縮処理回路１０で生成された符号化（圧縮）画像データ１４を入力するメモリカードインターフェース、１５はインターフェース１３に接続されてその出力１６が記録されるメモリカードである。１７はバス１８にのっている圧縮処理回路１０の出力を受けて撮像デバイス駆動器１９および絞り駆動器１１０にそれぞれ駆動出力１１１および１１２を供給する自動露出装置、１１３は圧縮処理回路１０の出力１８を受けて焦点駆動器１１４に駆動出力１１５を供給する自動焦点装置である。焦点駆動器１１４は撮像レンズ１を、絞り駆動器１１０は絞り２を、撮像デバイス駆動器１９は撮像デバイス３をそれぞれ駆動信号１１６、１１７および１１８によって駆動制御する。
　１１９はバス１８を介して各部間のデータ転送および制御を実行する中央演算装置（ＣＰＵ）、１２０は符号量制御バラメータである複数のスケーリングファクタが記憶されている複数のスケーリングファクタテーブルで、中央演算装置１１９に内蔵されている。これら複数の各スケーリングファクタテーブルは、被写体が構成する像の態様たとえば、風景、人の顔、文字画像などに対応するようにスケーリングファクタに対する圧縮率、すなわち、圧縮特性が記憶されている。１２１は複数のスケーリングファクタテーブル１２０から、特定の被写体が構成する像に対応するスケーリングファクタテーブルを指定するための指令を操作者において入力する入力装置、たとえば、キーボードである。
　１２２は操作者が視認し得る表示装置、たとえば、ファインダ装置である。この表示装置には入力装置１２１から操作者において入力された指令に基づいて指定されたスケーリングファクタテーブル１２０に対応する被写体が構成する特定像、たとえば、風景、人の顔、文字画像などの中の風景、が表示される。
　このような構成の下に動作を説明する。電子スチルカメラの撮像レンズ１で把えられた被写体像は絞り２によりその光量が制御されて撮像デバイス３に結像される。撮像デバイス３により光電変換された像信号５は処理回路４に入力され、この処理回路４によって輝度信号（Ｙ）６、色差信号（Ｒ−Ｙ）７、（Ｂ−Ｙ）８が出力される。これらの出力６、７および８はアナログ・デジタル変換器９によって各出力においてデジタル信号に変換され、このデジタル信号１１は圧縮処理回路１０に入力される。自動露出、自動焦点制御用の露光は圧縮処理回路１０のバス１８にのっている直流および交流出力を用いて自動露出、自動焦点の制御を行うことによって実行される。当該直流成分を自動露出装置１７で演算し、その出力である自動露出データ１１１を撮像デバイス駆動器１９に、当該露出データ１１２を絞り駆動器１１０にそれぞれ転送し、撮像デバイス駆動器１９の出力１１８により撮像デバイス３を制御するとともに電子シャッタ制御を実行し、絞り駆動器１１０の出力１１７により絞り２の制御を行い、適正露出の制御を実行する。
　つぎの自動焦点は圧縮処理回路１０の出力であるバス１８にのっている交流成分（高周波成分）を自動焦点装置１１３に入力する。自動焦点装置１１３により自動焦点の演算を実行し、その出力である自動焦点データ１１５を焦点駆動器１１４に転送し、焦点駆動データ１１４の出力１１６により撮像レンズ１の位置を制御し、撮像デバイス３において像の合焦に至らしめる。自動焦点装置１１３の演算は、たとえば、山登り法のアルゴリズムによって実行される。この方法は画像の焦点が合ってくるにつれて、映像信号の高周波成分が増加してくることに着目し、高周波成分を１フィールド内で積分した値が最大になるようにフィードバックシステムが構成される。このように把えられた被写体像の画像データは各変換過程を経た後に圧縮処理回路１０で圧縮される。
　圧縮処理回路１０の構成は第２図に示される。２０は入力される画像データ１１に対して８×８画素のブロックを単位とした２次元の離散コサイン変換（ＤＣＴ）を実行する離散コサイン変換器、２１は離散コサイン変換器２０の出力２２を線形量子化する量子化器、２３は異なった量子化ステップサイズを設定した量子化マトリクスで、乗算器２４を介して量子化器２１に接続されている。２５はスケーリングファクタテーブル１２０（第１図）から選択されるスケーリングファクタでスケーリングファクタレジスタ１２（同図）から出力されて乗算器２４に入力される。２８は量子化器２１の出力２９をハフマン符号化するハフマン符号化器、２１０はハフマン符号化器２８に接続され量子化器２１の出力２９を符号化する際に参照される符号テーブルである。
　このような構成の下で圧縮および符号化はつぎのように実行される。離散コサイン変換器２０に入力された画像データであるデジタル信号１１はこの変換器２０によリ８×８画素を単位とした２次元離散コサイン変換（ＤＣＴ）が実行され、離散コサイン変換係数（ＤＣＴ係数）が求められる。大きさは異なった量子化ステップサイズを設定した量子化マトリクス２３を用いて、ブロック単位に求めた各係数ごとのコサイン係数出力２２を量子化器２１により線形量子化し量子化係数を求める。量子化係数出力２９は符号化テーブル２１０を用いてハフマン符号化される。このようにして符号が生成される過程において、生成される符号量を制御する。量子化後の量子化係数ｂは、
　ｂ＝ａ／２Ｓ×Ｑ
と表わされる。ａは離散コサイン係数、Ｑは量子化マトリクス、Ｓはスケーリングファクタである。
　上式の関係から明らかなようにスケーリングファクタＳを大きくすると量子化係数ｂは小さくなり、したがって、生成される符号量は小さくなる。この関係を第３図に示す。横軸はスケーリングファクタ（Ｓ）、縦軸は圧縮率、ビットレート（ｂｉｔ／ｐｅｌ）である。スケーリングファクタ（Ｓ）の増加にしたがって圧縮率（ビットレート）は減少する。図中Ａ、Ｂは圧縮率が異なる場合の特性である。このような関係を利用して生成符号量の制御を行う。第４図は生成符号量の制御手順を示すフローチャートである。つぎの当該制御について同図のフローに従って説明する。この制御は第１図の中央演算装置１１９と圧縮処理回路１０とが制御信号を授受することによって実行する。スケーリングファクタレジスタ１２にスケーリングファクタ初期値を設定する（第４図ステップ４１）。
　この初期値は前回撮影した際の最終値とする。画像データ１１を第２図に示す離散コサイン変換器２０によって離散コサイン変換し、この出力２２を第２図に示すスケーリングファクタレジスタ１２から同図に示す乗算器２４に転送されるスケーリングファクタ２５にしたがって量子化し、その量子化出力２９をハフマン符号化器によって符号化し、当該スケーリングファクタ２５における符号量を生成することにより圧縮処理を実行する（ステップ４２）。つぎに生成された画像全部の符号量を測定する（ステップ４３）。画面ごとの符号量がすべて所定の範囲、たとえば、０．４Ｍｂｉｔ幅である場合（ステップ４４、４５）にはこれらの符号出力１４を第１図に示すメモリインターフェース１３を介してメモリカード１５に記録する（ステップ４７）。
　これらの符号量が所定の範囲（０．４Ｍｂｉｔ幅）でない場合（ステップ４４、４６）には、第１図に示す中央演算装置１９に内蔵されているスケーリングファクタテーブル（１２０）から初期のスケーリングファクタと異なるスケーリングファクタを選択し、このスケーリングファクタをスケーリングファクタレジスタ１２０に転送し、第２図に示す乗算器２４に供給して、量子化に際しスケーリングファクタ２５を再設定する（ステップ４７）。この動作は中央演算装置１１９の制御下で実行される。このように再設定されたスケーリングファクタによって圧縮処理が実行され（ステップ４２）符号量が生成され、これらの符号量が所定の範囲かどうかが判断される（ステップ４４）。こうして圧縮処理によって生成される符号量が所定の範囲になるまでスケーリングファクタの再設定を続行する。
　第１図に示すスケーリングファクタテーブル１２０は被写体が構成する像の態様に対応して複数あり、これらはそれぞれ圧縮特性が当該態様に対応して異っている。これらのテーブルは中央演算装置１１９の制御下で生成符号量が所定の範囲になるように選択され、スケーリングファクタが選択される。一方入力装置１２１にテーブル選択のための指定信号を、操作者が入力することによって、当該態様に対応するテーブルを直接選択指定することができる。操作者によって指定されて選択された特定のテーブルから生成符号量が所定の範囲になるようなスケーリングファクタを中央演算装置１１９の制御下で選択する。
　このようにすると短時間で該当するスケーリングファクタを把えることができる。当該スケーリングファクタに対応する被写体が構成する像がいずれの態様、たとえは風景、人の顔などに属するかを示すシンボルが表示装置１２２に表示され、操作者はこの表示を視認してその態様を知ることができる。また、代表的な圧縮特性を示す像の態様からはずれるような態様に属する被写体に対して対応するスケーリングテーブルの圧縮特性を撮影の履歴情報によって変更可能となるよう学習する。このような学習により制御対象が広がる。
（発明の効果）
　以上説明したとおり、本発明によれば、画像データが圧縮されて生成される符号量が所定の範囲に制御されるので、メモリカードには常に一定枚数の静止画像を記録できる。また、圧縮特性の異なるスケーリングテーブルを複数種類保有し、これらのテーブルを操作者が直接指定することにより、生成される符号量を短時間で所定の範囲になるように制御することができる。さらに、スケーリングファクタテーブルを撮影の履歴情報によって学習することにより、代表的な圧縮特性からはずれる被写体像に対しても短時間で制御することができる。
【図面の簡単な説明】
　第１図は、本発明の実施例の機能ブロック図であり、第２図は、圧縮処理の機能ブロック図であり、第３図は、圧縮特性を示す図であり、第４図は、生成する符号量の制御手順を示すフローチャートである。
　符号の説明
　１０　…圧縮処理回路
　１２　…スケーリングファクタレジスタ
　２０　…離散コサイン変換器
　２１　…量子化器
　２８　…符号化器
１１９　…中央演算装置
１２０　…スケーリングファクタテーブル
１２１　…入力装置
１２２　…表示装置